(57)【要約】【課題】合掌シール部の長手方向に対して略直角方向に開封するピロー包装袋において、前記合掌シール部も含めた包装袋全体を開封予定線に沿って容易に引き裂くことができる易開封のピロー包装袋を安価に提供すること。【解決手段】包装フィルムの両側端部を合掌状にシールした合掌シール部を有する筒状胴部の上下端をシールしたピロー包装袋であって、前記合掌シール部の一方の側端部には折り部が形成され、前記合掌シール部は前記折り部が形成された側に倒れていて、前記合掌シール部の長手方向に対して略直角方向の開封予定線を有し、前記開封予定線と前記折り部とが交差する部分には、前記合掌シール部と前記筒状胴部で挟まれた領域を超えない大きさで、包装フィルムが切り取られた切除部が形成されていて、前記切除部の周囲にポイントシール部が形成されていることを特徴とするピロー包装袋。【選択図】図２
2018090288.tif 000002
【特許請求の範囲】
【請求項１】
包装フィルムの両側端部を合掌状にシールした合掌シール部を有する筒状胴部の上下端をシールしたピロー包装袋であって、
前記合掌シール部の一方の側端部には折り部が形成され、
前記合掌シール部は前記折り部が形成された側に倒れていて、
前記合掌シール部の長手方向に対して略直角方向の開封予定線を有し、
前記開封予定線と前記折り部とが交差する部分には、前記合掌シール部と前記筒状胴部で挟まれた領域を超えない大きさで、包装フィルムが切り取られた切除部が形成されていて、
前記切除部の周囲にポイントシール部が形成されていることを特徴とするピロー包装袋。
【請求項２】
請求項１に記載のピロー包装袋であって、
前記切除部は、前記開封予定線と交差する点で角状の頂点を形成することを特徴とするピロー包装袋。
【請求項３】
請求項１または２に記載のピロー包装袋であって、
前記切除部は、前記折り部より合掌シール部側に形成された合掌シール部側切除部と、前記折り部より筒状胴部側に形成された筒状胴部側切除部と、を有し、
前記開封予定線の形成方向を横方向とした場合、前記合掌シール部側切除部の横幅よりも前記筒状胴部側切除部の横幅の方が大きいことを特徴とするピロー包装袋。
【請求項４】
請求項１〜３のいずれか１に記載のピロー包装袋であって、
前記開封予定線における開封方向が、前記折り部が形成された側とは反対側の前記筒状胴部の側端部から開封を開始するように指定されていることを特徴とするピロー包装袋。
【発明の詳細な説明】
【技術分野】
【０００１】
本発明は、合掌シール部を有するピロータイプの包装袋に関する。
【背景技術】
【０００２】
従来、包装フィルムの両側端部を合掌状にシールした合掌シール部を有する筒状包装フィルムの上下端をシールしたピロー包装袋において、前記合掌シール部の長手方向に対して略直角方向に開封する場合、前記合掌シール部の開始点における開封性の問題が指摘されてきた。
【０００３】
これは、引き裂き枚数の増加が原因と考えられてきた。すなわち、ピロー包装袋の筒状胴部の側端部から引き裂き開封を開始した場合、開封開始地点では前記筒状胴部を構成する表裏２枚の包装フィルムを引き裂くのに対し、前記合掌シール部に到達すると、前記筒状胴部の表裏２枚に加えて前記合掌シール部を構成する２枚を加えた合計４枚の包装フィルムを引き裂くことになるため、引き裂き開封に必要な力が大きくなることが原因と考えられてきた。
【０００４】
そこで、引き裂き枚数が増加した分の引き裂き力を軽減させることを目的として、前記合掌シール部に到達する部分での開封性を向上させる様々な工夫が提示されている（例えば特許文献１）。
特許文献１のピロー包装袋においては、合掌シール部と開封予定線との交点を跨ぐ領域に傷痕群による弱化部を設けることにより、この部分での開封性を向上させるとしている。
【０００５】
しかし、本発明の発明者が鋭意検討した結果、前記合掌シール部を横断する方向でのピロー包装袋の易開封性を阻害する要因は、引き裂き枚数が増加することよりも、前記合掌シール部が片側に折り倒されて折り部が形成されている点にあることが分かり、本発明に至った。
【０００６】
通常、ピロー包装袋においては、前記合掌シール部の一方の側端部に折り曲げ線が形成されて、前記合掌シール部は前記折り曲げ線が形成された側に折り倒されている。
このため、前記折り曲げ線が形成されている部分では２枚の包装フィルムが強く折り畳まれて鋭角の折り部を形成しており、他の部分の包装フィルムに比べて硬くなっている。
【０００７】
よって、前記折り曲げ線によって形成された硬い前記折り部を略直角方向に引き裂こうとすると、非常に大きな力を要することとなり、易開封性を阻害する大きな要因となっていた。
【先行技術文献】
【特許文献】
【０００８】
【特許文献１】特許第４９９３０８２号公報
【発明の概要】
【発明が解決しようとする課題】
【０００９】
本発明は上記のような事情に鑑みてなされたもので、合掌シール部の長手方向に対して略直角方向に開封するピロー包装袋において、前記合掌シール部も含めた包装袋全体を開封予定線に沿って容易に引き裂くことができる易開封のピロー包装袋を安価に提供することを課題とする。
【課題を解決するための手段】
【００１０】
本発明は係る課題に鑑みてなされたものであり、本発明のピロー包装袋は、包装フィルムの両側端部を合掌状にシールした合掌シール部を有する筒状胴部の上下端をシールしたピロー包装袋であって、前記合掌シール部の一方の側端部には折り部が形成され、前記合掌シール部は前記折り部が形成された側に倒れていて、前記合掌シール部の長手方向に対して略直角方向の開封予定線を有し、前記開封予定線と前記折り部とが交差する部分には、前記合掌シール部と前記筒状胴部で挟まれた領域を超えない大きさで、包装フィルムが切り取られた切除部が形成されていて、前記切除部の周囲にポイントシール部が形成されていることを特徴とする。
【００１１】
また、本発明のピロー包装袋の前記切除部は、前記開封予定線と交差する点で角状の頂点を形成しても良い。
【００１２】
また、本発明のピロー包装袋において、前記切除部は、前記折り部より合掌シール部側に形成された合掌シール部側切除部と、前記折り部より筒状胴部側に形成された筒状胴部側切除部と、を有し、前記開封予定線の形成方向を横方向とした場合、前記合掌シール部側切除部の横幅よりも前記筒状胴部側切除部の横幅の方が大きいものであっても良い。
【００１３】
また、本発明のピロー包装袋は、前記開封予定線における開封方向が、前記折り部が形成された側とは反対側の前記筒状胴部の側端部から開封を開始するように指定されていても良い。
【発明の効果】
【００１４】
本発明のピロー包装袋は、開封予定線と合掌シール部の折り部とが交差する部分に、前記合掌シール部と前記筒状胴部で挟まれた領域を超えない大きさで、包装フィルムが切り取られた切除部が形成されていることにより、前記開封予定線に沿って引き裂き開封する際、その開封線上には２枚の包装フィルムが強く折り畳まれた鋭角の前記折り部が存在しない。このように、本発明の構造によれば、易開封性を阻害する要因の前記折り部が無い状態で引き裂き開封を行うことが可能となるため、容易に開封することが可能となる。
また、前記切除部の周囲にポイントシール部が形成されていることにより、包装フィルムが切り取られた前記切除部が設けられていても、内容物が前記切除部からこぼれたり、ガスバリア性等の内容物保存性が劣化したりする虞が無い。
【００１５】
また、本発明のピロー包装袋の前記切除部の形状を、前記開封予定線と交差する点で角状の頂点を成す形状とすることにより、引き裂き枚数が増える際に、引き裂き開封の開封方向に対して矢尻状に尖った包装フィルムが追加されることとなる。このような構造とすることにより、引き裂き枚数が増えることによる負荷を軽減することが可能となる。これにより、全体としてより容易にスムーズな開封を行うことが可能となる。
【００１６】
また、前記折り部よりも合掌シール部側の前記切除部を合掌シール部側切除部、前記折り部よりも筒状胴部側に形成された前記切除部を筒状胴部側切除部、とし、前記開封予定線の形成方向を横方向とした場合、前記合掌シール部切除部の横幅よりも前記筒状胴部側切除部の横幅の方を大きくすることにより、引き裂き開封時の引き裂き枚数を段階的に増加させることができる。
すなわち、ピロー包装袋の筒状胴部の側端部から引き裂き開封を開始した場合、開封開始地点では前記筒状胴部を構成する表裏２枚の包装フィルムだった引き裂き枚数が一箇所で突然前記合掌シール部を構成する２枚を加えた４枚になるのではなく、２枚から３枚、次に４枚と段階的に増加する。具体的には、開封開始地点で前記筒状胴部の表裏２枚だった引き裂き枚数が、前記合掌シール部に到達すると同時に前記切除部に到達すると、引き裂き枚数は２枚のまま前記筒状胴部の１枚と前記合掌シール部の１枚とを引き裂く。その後
、前記合掌シール部切除部の端部に到達すると、前記合掌シール部を構成する２枚と前記筒状胴部の１枚の合計３枚の引き裂きが開始される。次に、前記筒状胴部側切除部の端部に到達することにより、前記筒状胴部の２枚と前記合掌シール部の２枚の合計４枚を引き裂くことになる。そして、前記合掌シール部を通過すると再び前記筒状胴部の２枚に戻る。このように引き裂き枚数を段階的に増加させることにより、引き裂き枚数が増えることによる負荷を軽減することが可能となる。これにより、全体としてより容易にスムーズな開封を行うことが可能となる。
【００１７】
また、本発明のピロー包装袋の開封方向を、前記折り部が形成された側とは反対側の前記筒状胴部の側端部から開封を開始するように指定することにより、より快適かつスムーズな開封を行うことが可能となる。
前記折り部が形成された側とは反対側の前記筒状胴部の側端部から開封を開始した場合、前記合掌シール部に差し掛かる地点においても前記切除部が形成されているため前記折り部を乗り越える必要がなく、かつ引き裂き枚数も変化しないため非常にスムーズに引き裂き開封を進めることができる。そして、前記切除部を通過して引き裂き枚数が増加する際には、それまでのスムーズな開封によりスピードが付いた状態となっているため、引き裂き枚数が増加することによる負荷をほとんど感じることなく、そのままスムーズに開封を進めることが可能である。その後、前記合掌シール部を通過すると引き裂き枚数が減少するため、さらに加速して終端までの引き裂き開封を一気に行うことが可能となる。
このように、前記折り部が形成された側とは反対側の筒状胴部から開封を開始した場合、引き裂き開封する使用者が途中で負荷を感じることなく、引き裂きの開始から終了まで一気に開封することが可能であり、非常に快適な開封を行うことができる。
【００１８】
一方、前記折り部が形成された側の前記筒状胴部から開封を開始した場合であっても、前記合掌シール部に差し掛かると引き裂き枚数が４枚に増加するものの、前記切除部では２枚に戻り、その開封線上には２枚の包装フィルムが強く折り畳まれた鋭角の前記折り部が存在しないため、そのままスムーズに終端まで引き裂き開封を進めることが可能である。
しかし、この場合には、前記合掌シール部に到達して引き裂き枚数が４枚に増加する際、前記ポイントシール部以外の前記合掌シール部は前記筒状胴部と接着していないため、前記合掌シール部を手指で押さえて前記筒状胴部と接した状態で引き裂くことになる。このため、ピロー包装袋を引き裂き開封する使用者にとって多少手間のかかる開封となってしまう。
また、前記折り部が形成された側から開封すると、前記合掌シール部が折り倒された側から開封することになるため、前記筒状胴部の開封開始地点から前記合掌シール部に到達して引き裂き枚数が４枚に増加するまでの距離が、反対側から開封する場合に比べて短くなる。このため、引き裂き開封を開始して間もないうちに引き裂き枚数が増加することとなり、引き裂き枚数が増えることによる負荷を感じやすくなってしまう虞がある。
このように、前記折り部が形成された側から開封を開始した場合、前記切除部を形成したことにより本発明が目的とする易開封の効果は十分に生じるものの、他の点で使用者が開封時に多少の手間や負荷を感じる虞がある。
【図面の簡単な説明】
【００１９】
【図１】本発明のピロー包装袋の第１の実施形態を構成する包装フィルムの展開図を模式的に示した説明図である。
【図２】本発明のピロー包装袋の第１の実施形態を模式的に示した説明図であり、（ａ）は合掌シール部側からの平面図、（ｂ）は（ａ）のＡ−Ａ断面図、（ｃ）は（ａ）のＢ−Ｂ断面図である。
【図３】本発明のピロー包装袋の第２の実施形態を構成する包装フィルムの展開図を模式的に示した説明図である。
【図４】本発明のピロー包装袋の第２の実施形態を模式的に示した説明図であり、（ａ）は合掌シール部側からの平面図、（ｂ）は（ａ）のＡ−Ａ断面図、（ｃ）は（ａ）のＢ−Ｂ断面図である。
【発明を実施するための形態】
【００２０】
＜第１の実施形態＞
以下、本発明を実施するための第１の実施形態について、図１及び２を参照して説明する。
【００２１】
本発明のピロー包装袋１は、図１に示すような略矩形状の包装フィルム２で構成される。包装フィルム２には、通常の軟包装袋に使用される、基材とシーラント層からなる積層体を用いることができる。
基材は、内容物に応じたガスバリア性や強度等を勘案して適宜選択することが可能であり、具体例としては、ポリプロピレン樹脂（ＰＰ）、ポリエチレンテレフタレート樹脂（ＰＥＴ）、ポリブチレンテレフタレート樹脂（ＰＢＴ）、ポリエチレンナフタレート樹脂（ＰＥＮ）等のポリエステル系樹脂、ナイロン（ＮＹ）等のポリアミド系樹脂等の合成樹脂の二軸延伸フィルム、アルミニウム箔等の金属箔等が、単体または複合して使用される。なお、基材には、必要に応じて印刷層や接着剤層が含まれる。
【００２２】
また、シーラント層としては、ポリオレフィン系樹脂が一般的に使用され、具体的には、低密度ポリエチレン樹脂（ＬＤＰＥ）、中密度ポリエチレン樹脂（ＭＤＰＥ）、高密度ポリエチレン樹脂（ＨＤＰＥ）、直鎖状低密度ポリエチレン樹脂（ＬＬＤＰＥ）、エチレン・酢酸ビニル共重合体（ＥＶＡ）、エチレン・αオレフィン共重合体などのエチレン系樹脂や、ホモポリプロピレン樹脂、プロピレン・エチレンランダム共重合体、プロピレン・エチレンブロック共重合体、プロピレン・αオレフィン共重合体などのポリプロピレン系樹脂などが使用される。またこれらの樹脂を複合した多層フィルムが使用されることもある。
【００２３】
包装フィルム２は、左右端部を合掌状にシールして合掌シール部３を形成することにより筒状胴部２１を構成し、さらにその筒状胴部２１の上下端をシールすることにより、図２（ａ）に示すようなピロー包装袋１となる。
【００２４】
ここで、包装フィルム２には、合掌シール部３を形成する左右端部のうち、図１における右端部において、合掌シール部３の側端部に当たる位置に折り曲げ線による折り部４が形成されている。また、合掌シール部３に対して略垂直方向の開封予定線５が設けられており、開封予定線５と折り部４との交点を含む位置に、包装フィルム２を切除して形成した切除部６が設けられている。
なお、図１に示す包装フィルム２においては、合掌シール部３はまだシールされていないが、説明の便宜上、合掌シール部３も図示している。
【００２５】
開封予定線５は、ハーフカット線により設けることができる。ハーフカット線は、ロール状などの金属刃を用いて、表側から基材層に入れることができる。この場合、基材層の途中まで刃が入っていても、基材層を越えて、シーラント層の途中まで刃が入っていてもよい。
また、ハーフカット線を基材層側から照射するレーザー加工で設けることもできる。用いるレーザーは、炭酸ガスレーザー、ＹＡＧレーザー、半導体レーザー、アルゴンイオンレーザー等のパルス発振型レーザー等が用いられる。ハーフカット線をレーザー加工で設ける場合では、多層の基材層の最外層には設けないようにして、基材層の内側層に設けることもできる。
【００２６】
切除部６は、本実施形態においては図１に示すように、略菱型形状を成しているが、曲線を含む形状や円、三角形等の多角形、左右非対称の形状等、開封予定線５と折り部４との交点を含む位置が完全に切除されていれば良く、その形状や大きさは特に限定されない。
【００２７】
ただし、切除部６の大きさは、合掌シール部３と筒状胴部２１とで挟まれた領域を超えない大きさであることが求められる。
例えば、切除部６が、合掌シール部３を折り部４で折り曲げて筒状胴部２１上に折り倒した際の合掌シール部３と筒状胴部２１とで挟まれた領域からはみ出してしまうと、切除部６の周囲にポイントシール部７を形成しても、切除部６の先端部にはシールする包装フィルム２（合掌シール部３）が存在しないことになる。このため、折り倒した合掌シール部３からはみ出した部分の切除部６は穴状に開放されたままとなってしまい、当該部分から内容物がこぼれたり、ガスバリア性等の内容物保存性が著しく低下したりする結果となってしまう。
このように、ピロー包装袋１の一部に包装フィルム２を切除する切除部６を設けても、内容物の紛失や内容物保存性を維持する構成とするためには、切除部６の周囲にポイントシール部７を形成することができるよう、切除部６の大きさを合掌シール部３と筒状胴部２１とで挟まれた領域を超えない大きさで設けることが求められる。
【００２８】
また、切除部６の形状は、引き裂き開封の方向を開封予定線５上に誘導することにより易開封性を高めることを考慮すれば、開封予定線５と交差する点で角状の頂点を形成する形状であることが好ましい。開封予定線５と交差する点が角状の頂点となっていれば良く、当該頂点に至る部分は曲線であっても良い。
このように、切除部６の形状を開封予定線５と交差する点で角状の頂点を形成する形状とすることにより、引き裂き枚数が増える際に、引き裂き開封の開封方向に対して矢尻状に尖った包装フィルム２（筒状胴部２１）が追加されることとなる。このような構造とすることにより、引き裂き枚数が増えることによる負荷を軽減することが可能となる。これにより、全体としてより容易にスムーズな開封を行うことが可能となる。
【００２９】
なお、開封予定線５と切除部６は、１つのピロー包装袋１（包装フィルム２）に対して複数個所に設けられていても良く、１つの開封予定線５に対して１つの切除部６及びポイントシール部７が設けられる。
開封予定線５及び切除部６を複数個所に設けた場合には、ピロー包装袋１に収納された内容物を小出しにする際、上方に設けられた開封予定線５から下方の開封予定線５へ順番に、内容物の残存量に合わせた位置の開封予定線５に沿って引き裂き開封することが可能となる。これにより、引き裂き開封した開封部分（開封予定線５）より下方で包装フィルム２を折り畳んでピロー包装袋１を簡易的に再封し、その後、内容物の残存量に合わせた位置の開封予定線５で開封することにより、残った内容物を容易に取り出すことも可能となる。
【００３０】
包装フィルム２で構成されるピロー包装袋１は、図２（ａ）に示すように、合掌シール部３の一方の側端部に折り部４が形成され、合掌シール部３は折り部４が形成された側に折り倒されている。また、開封予定線５と折り部４とが交差する部分に切除部６が設けられ、切除部６の周囲にはポイントシール部７が設けられている。
ここで、合掌シール部３を構成する２枚の包装フィルム２のうち、折り倒されて筒状胴部２と向かい合わせになる包装フィルムを合掌シール内側フィルム３２、もう一方のフィルムを合掌シール外側フィルム３１、とする。
このような構成とすることにより、開封予定線５上では、図２（ｂ）に示すように、折り部４が存在せず、筒状胴部２１と合掌シール内側フィルム３２が切除部６の周囲に設けら
れたポイントシール部７で接着された構造となる。これにより、易開封性を阻害する要因となる折り部４が無い状態で引き裂き開封を行うことが可能となるため、容易に開封することが可能となる。
【００３１】
一方、開封予定線５及び切除部６が設けられていない部分では、図２（ｃ）に示すように、２枚の包装フィルムが強く折り畳まれてできた鋭角の硬い折り部４が形成されており、仮にこの部分に開封予定線５を設けたとしても、切除部６を設けない限り、従来のピロー包装袋と同様、開封時に非常に大きな力を要することとなってしまう。
【００３２】
また、特に図示はしないが、ピロー包装袋１の筒状胴部２１の開封予定線５付近に、折り部４が形成された側とは反対側の筒状胴部２１の側端部から開封を開始するように、開封方向を指定する表示を施していても良い。つまり、図２（ａ）では、筒状胴部２１の右端部から左端に向かって開封を行うように開封方向を指定することとなる。
図２（ａ）において、右端部から左端に向かって開封した場合、合掌シール部３に差し掛かる地点においても切除部６が形成されているため折り部４を乗り越える必要がなく、かつ引き裂き枚数も変化しないため非常にスムーズに引き裂き開封を進めることができる。そして、切除部６を通過して引き裂き枚数が増加する際には、それまでのスムーズな開封によりスピードが付いた状態となっているため、引き裂き枚数が増加することによる負荷をほとんど感じることなく、そのままスムーズに開封を進めることが可能である。その後、合掌シール部３を通過すると引き裂き枚数が減少するため、さらに加速して終端までの引き裂き開封を一気に行うことが可能となる。
このように、折り部４が形成された側とは反対側の筒状胴部２１の側端部から開封を開始した場合、引き裂き開封する使用者が途中で負荷を感じることなく、引き裂きの開始から終了まで一気に開封することが可能であり、非常に快適な開封を行うことができる。
【００３３】
次に、ピロー包装袋１の製造及び開封方法について説明する。
ピロー包装袋１は、例えば、１２μｍのＰＥＴと１２μｍアルミニウム箔を１５μｍの接着剤層を介して積層した基材と、３５μｍのポリエチレンからなるシーラント層を用いた包装フィルム２から構成される。
長辺（図１における縦辺）が１００ｍｍ、短辺（図１における横辺）が７０ｍｍの矩形状の包装フィルム２を用意し、包装フィルム２の一方の長辺（図１における上端）から２５ｍｍの位置に短辺と略平行の開封予定線５を形成する。このとき、開封予定線５は、包装フィルム２の基材（ＰＥＴ）側から、炭酸ガスレーザーを用いて形成される。その後、開封予定線５上で、かつ、一方の短辺（図１における右端）から５ｍｍの位置を中心として、縦横４ｍｍの菱型状に包装フィルム２を打ち抜くことにより切除部６を形成する。
次に、包装フィルム２の長辺同士を重ね合わせて、合掌シール部３のシール幅が５ｍｍとなるようにシールする。その後、開封予定線５を設けた側とは反対側の短辺（図１における下端）をシール幅１０ｍｍでシールし、内容物を充填した後、切除部６を内側に折るようにして、切除部６を設けた側の合掌シール部３の側端部に折り部４を形成して合掌シール部３を折り倒す。最後に、開放されている側の短辺（図１における上端、シール幅１０ｍｍ）と切除部６の周囲（ポイントシール部７）をシールしてピロー包装袋１を製造する。
【００３４】
このようにして製造されたピロー包装袋１を開封する使用者は、筒状胴部２１の側端部から開封予定線５に沿って開封を開始する。ここでは、図２（ａ）に示すピロー包装袋１を右端から左端に向かって開封する場合を説明する。
筒状胴部２１の右端部に設けられた開封予定線５から開封を開始した使用者は、筒状胴部２１を構成する２枚の包装フィルム２を開封予定線５に沿って開封する。そして、合掌シール部３に差し掛かる地点においても切除部６が形成されているため折り部４を乗り越える必要がなく、かつ引き裂き枚数も変化しないため非常にスムーズに引き裂き開封を進めることができる。そして、切除部６を通過して引き裂き枚数が増加する際には、それまでのスムーズな開封によりスピードが付いた状態となっているため、引き裂き枚数が２枚から４枚に増加することによる負荷をほとんど感じることなく、そのままスムーズに開封を進めることが可能である。その後、合掌シール部３を通過すると再び引き裂き枚数が２枚に減少するため、さらに加速して終端までの引き裂き開封を一気に行うことが可能となる。
【００３５】
＜第２の実施形態＞
以下、本発明を実施するための第２の実施形態について、図３及び４を参照して説明する。
【００３６】
本実施形態のピロー包装袋１０は、切除部６の形状を、折り部４を中心線として左右非対称の形状とした以外は第１の実施形態のピロー包装袋１と同様である。
ここで、切除部６を、図３に示すように、折り部４より合掌シール部３側に形成された合掌シール部側切除部６１と、折り部４より筒状胴部２１側に形成された筒状胴部側切除部６２の２部分からなるとする。
【００３７】
開封予定線５の形成方向を横方向とした場合、本実施形態においては、合掌シール部側切除部６１の横幅よりも筒状胴部側切除部６２の横幅の方が長くなるように切除部６を形成しているが、その長短は逆でも構わない。ただし、合掌シール部側切除部６１及び筒状胴部側切除部６２の両方とも、その横幅は合掌シール部３の横幅よりも小さくする必要がある。これは、第１の実施形態での説明と同様、合掌シール部側切除部６１若しくは筒状胴部側切除部６２の横幅が合掌シール部３の横幅よりも長くなってしまうと、折り倒した合掌シール部３からはみ出した部分の切除部６が穴状に開放されたままとなってしまい、当該部分から内容物がこぼれたり、ガスバリア性等の内容物保存性が著しく低下したりする結果となってしまうからである。
【００３８】
切除部６の形状を図３のようにした場合、この包装フィルム２の左右端部を合掌状にシールして合掌シール部３を形成することにより筒状胴部２１を構成し、さらにその筒状胴部２１の上下端をシールすることにより、図４（ａ）に示すようなピロー包装袋１０となる。
このとき、開封予定線５上では、図４（ｂ）に示すように、折り部４が存在せず、筒状胴部２１と合掌シール内側フィルム３２が切除部６の周囲に設けられたポイントシール部７で接着された構造となる。そして、合掌シール部側切除部６１の横幅よりも筒状胴部側切除部６２の横幅の方が大きいため、図４（ｂ）に示すような階段状の断面を形成する。
【００３９】
このようなピロー包装袋１０を開封する使用者は、筒状胴部２１の側端部から開封予定線５に沿って開封を開始する。ここでは、図４（ａ）に示すピロー包装袋１０を右端から左端に向かって開封する場合を説明する。
筒状胴部２１の右端部に設けられた開封予定線５から開封を開始した使用者は、筒状胴部２１を構成する２枚の包装フィルム２を開封予定線５に沿って開封する。そして、合掌シール部３に差し掛かる地点においても切除部６が形成されているため折り部４を乗り越える必要がなく、かつ引き裂き枚数も変化しないため非常にスムーズに引き裂き開封を進めることができる。そして、合掌シール部側切除部６１を通過して引き裂き枚数が１枚増加し、その後、筒状胴部側切除部６２も通過して引き裂き枚数がもう１枚増加する。この引き裂き枚数が増加する際には、それまでのスムーズな開封によりスピードが付いた状態となっているため、引き裂き枚数が増加することによる負荷をほとんど感じることなく、そのままスムーズに開封を進めることが可能である。ここで、引き裂き枚数が１枚ずつ増加することも、引き裂き枚数が増加することによる負荷をほとんど感じない原因と考えられる。その後、合掌シール部３を通過すると再び引き裂き枚数が２枚に減少するため、さらに加速して終端までの引き裂き開封を一気に行うことが可能となる。
【００４０】
以上説明したように、本発明のピロー包装袋１、１０によれば、開封予定線５と折り部４が交差する部分の包装フィルム２を切除した切除部６及び切除部６の周囲をシールするポイントシール部７を設けることにより、合掌シール部３の長手方向に対して略直角方向に開封するピロー包装袋において、合掌シール部３も含めた包装袋全体を開封予定線５に沿って容易に引き裂くことができる易開封のピロー包装袋を安価に提供することが可能となる。
【符号の説明】
【００４１】
１、１０・・・ピロー包装袋
２・・・包装フィルム
２１・・・筒状胴部
３・・・合掌シール部
３１・・・合掌シール外側フィルム
３２・・・合掌シール内側フィルム
４・・・折り部
５・・・開封予定線
６・・・切除部
６１・・・合掌シール部側切除部
６２・・・筒状胴部側切除部
７・・・ポイントシール部
８１・・・上端シール部
８２・・・下端シール部
【図１】
2018090288.tif 000003
【図２】
2018090288.tif 000004
【図３】
2018090288.tif 000005
【図４】
2018090288.tif 000006